(57)【要約】【課題】様々な大きさの遺体に対して、容易に装着作業を行うことが可能な顎支持具を提供する。【解決手段】対象者の胸部に当接する胸当接部と、対象者の顎部に当接する顎当接部と、前記胸当接部と前記顎当接部とを連結する連結部と、を備え、  前記連結部は、前記胸当接部と前記顎当接部との間隔を調節する間隔調節手段を有することを特徴とする。【選択図】図１
2019154769.tif 000002
【特許請求の範囲】
【請求項１】
対象者の胸部に当接する胸当接部と、対象者の顎部に当接する顎当接部と、前記胸当接部と前記顎当接部とを連結する連結部と、を備え、
前記連結部は、前記胸当接部と前記顎当接部との間隔を調節する間隔調節手段を有することを特徴とする顎支持具。
【請求項２】
前記胸当接部は、胸部に当接する本体部と、前記連結部に接続する接続部と、を有し、
前記本体部は、前記接続部に対して傾斜するように湾曲形成されてなることを特徴とする、請求項１に記載の顎支持具。
【請求項３】
前記胸当接部を一対備え、
前記接続部は、前記連結部に対し回転自在に連結することを特徴とする、請求項２に記載の顎支持具。
【請求項４】
前記間隔調節手段を一対備えていることを特徴とする、請求項１〜３の何れかに記載の顎支持具。
【請求項５】
前記胸当接部は、前記連結部に対し着脱可能に連結することを特徴とする、請求項１〜４の何れかに記載の顎支持具。
【請求項６】
前記間隔調節手段は、ネジ機構であることを特徴とする、請求項１〜５の何れかに記載の顎支持具。
【請求項７】
前記胸当接部及び前記顎当接部の少なくとも何れか一方には、可撓体が設けられていることを特徴とする、請求項１〜６の何れかに記載の顎支持具。
【発明の詳細な説明】
【技術分野】
【０００１】
本発明は、遺体を仰向けに寝かせた際の、咬筋の弛緩による口部の開口動作を防止する顎支持具に係るものである。
【背景技術】
【０００２】
人は、死亡すると、筋肉が一旦緩み、数時間後に死後硬直が開始する。死後硬直は、顎や首筋等の上部関節から、上肢の関節、下肢の関節へと進行し、やがて全身に広がっていく。
【０００３】
このため、遺体を仰向けに寝かせた状態で放置した場合、口部は、まず下顎の重みにより開口し、その後硬直することとなり、美的観点の面で問題が生ずる。しかし、この状態から口部を閉じることは困難であるため、病院や葬儀社等の従事者は、死後硬直が開始する前に、口部の開口動作を防止するための処置を行う必要がある。
【０００４】
上述した処置として、例えば、口腔内に詰め物を入れる方法や、顎を包帯により締結する方法が存在するが、このような方法は専門的な技術を必要とする。このため、専門的な技術を必要とすることなく、上述した処置を可能とする器具が、種々提案されている。
【０００５】
例えば、特許文献１には、下顎の頚部の前方部外周に当接し、前記前方部外周を任意のアームで把持するよう構成された略Ｕ字形状部を有し、前記Ｕ字形状部が、顎又は顎骨を載置することにより顎に当接しかつ支持するよう構成された上方顎支持部材と、死者の胸及び又は鎖骨に当接する部分を有する下方支持部材と、を備えている顎支持具が記載されている。
【０００６】
また、特許文献２には、半円形の帯状基体と、この帯状基体に着脱自在に結合され、人体の左右の下顎を支持する下顎支持部と、を備え、帯状基体は、後頭部の左右の側頭骨を挟持し、人体の左右の耳に当接する一対の端部と、この端部相互の離隔距離を自在に調整する調整部と、を有する顎支持具が記載されている。
【先行技術文献】
【特許文献】
【０００７】
【特許文献１】特許３７３２０９１号公報
【特許文献２】特開２０１１−２３９９６７号公報
【発明の概要】
【発明が解決しようとする課題】
【０００８】
しかしながら、特許文献１に記載の顎支持具は、略Ｕ字形状部等各部材の幅や厚さ等が調節できないため、身体の大きさが異なる遺体に同一の顎支持具を装着することが困難となる。
【０００９】
また、特許文献２に記載の顎支持具は、調整部を有しているものの、帯状基体を後頭部に取り付けて用いることから、装着時に後頭部を持ち上げる必要がある。即ち、一人での装着作業が困難となり、二人以上での装着作業を余儀なくされる状況が想定される。
【００１０】
本発明は上記のような実状に鑑みてなされたものであり、様々な大きさの遺体に対して、容易に装着作業を行うことが可能な顎支持具を提供することを課題とする。
【課題を解決するための手段】
【００１１】
上記課題を解決するために、本発明は、
対象者の胸部に当接する胸当接部と、対象者の顎部に当接する顎当接部と、前記胸当接部と前記顎当接部とを連結する連結部と、を備え、
前記連結部は、前記胸当接部と前記顎当接部との間隔を調節する間隔調節手段を有することを特徴とする。
【００１２】
本発明によれば、対象者の頭部を動かすことなく、容易に顎支持具を装着することが可能となる。また、胸部から顎部までの間隔が異なる様々な対象者に対して、顎支持具を適用でき、安定的に口部の閉口状態を保持することが可能となる。
【００１３】
本発明の好ましい形態では、前記胸当接部は、胸部に当接する本体部と、前記連結部に連結する接続部と、を有し、前記本体部は、前記接続部に対して傾斜するように湾曲形成されてなることを特徴とする。
【００１４】
このような構成とすることで、対象者の胸部の傾斜に合わせて顎支持具を装着することができ、装着後の支持状態の安定性が向上する。
【００１５】
本発明の好ましい形態では、前記胸当接部を一対備え、前記接続部は、前記連結部に対し回転自在に連結することを特徴とする。
【００１６】
このような構成とすることで、対象者の鎖骨に沿って、顎支持具を装着することができ、装着後の支持状態の安定性が、さらに向上する。
【００１７】
本発明の好ましい形態では、前記間隔調節手段を一対備えていることを特徴とする。
【００１８】
このような構成とすることで、一の胸当接部と顎当接部との間隔を個別に調節することができ、例えば頭部が傾いた状態の対象者に対しても、顎部を安定的に支持することが可能となる。
【００１９】
本発明の好ましい形態では、前記胸当接部は、前記連結部に対し着脱可能に連結することを特徴とする。
【００２０】
このような構成とすることで、胸当接部を、接続部の長さが異なるものに変更することができ、胸部から顎部までの間隔が異なる様々な対象者に対する、顎支持具の汎用性がさらに向上する。
【００２１】
本発明の好ましい形態では、前記間隔調節手段は、ネジ機構であることを特徴とする。
【００２２】
このような構成とすることで、間隔の調節に容易に行うことができる他、胸当接部の回転動作や着脱作業も行えるため操作性が向上し、シンプルな構造となるため製造性も向上する。
【００２３】
本発明の好ましい形態では、前記胸当接部及び前記顎当接部の少なくとも何れか一方には、可撓体が設けられていることを特徴とする。
【００２４】
このような構成とすることで、遺体を傷つける恐れが無く、また、装着後における、顎支持具の不意のずれを抑制することが可能となる。
【発明の効果】
【００２５】
本発明によれば、様々な大きさの遺体に対して、容易に装着作業を行うことが可能な顎支持具を提供することができる。
【図面の簡単な説明】
【００２６】
【図１】本発明の実施形態に係る顎支持具を示すものであって、（ａ）概略斜視図、（ｂ）ＡＡ´線断面図である。
【図２】本発明の実施形態に係る顎支持具の機能の説明図である。
【図３】本発明の実施形態に係る顎支持具の機能の説明図である。
【図４】本発明の実施形態に係る顎支持具の機能の説明図である。
【図５】本発明の実施形態に係る顎支持具の使用例を示す図である。
【発明を実施するための形態】
【００２７】
以下、図面を用いて、本発明の実施形態に係る顎支持具について説明する。
なお、以下に示す実施形態は本発明の一例であり、本発明を以下の実施形態に限定するものではない。
また、これらの図において、符号１は、本実施形態に係る顎支持具を示す。
【００２８】
図１（ａ）に示すように、顎支持具１は、遺体の胸部に当接する一対の胸当接部１１と、遺体の顎部に当接する顎当接部１２と、一対の胸当接部１１と顎当接部１２とを連結する一対の連結部１３と、を備えている。
【００２９】
一対の胸当接部１１は、遺体の胸部に当接する本体部１１ａと、本体部１１ａの端部から延設され、本体部１１ａに対して傾斜するように湾曲形成されてなる第一接続部１１ｂと、を有している。
また、第一接続部１１ｂは、雄ねじ状に形成されている。
さらに、本体部１１ａは、その端部が、可撓体Ｒにより周囲を被覆されている。
【００３０】
顎当接部１２は、遺体の顎部に当接する、略Ｖ字状に形成された本体部１２ａと、本体部１２ａの一対の端部から延設され、本体部１２ａに対して傾斜するように湾曲形成されてなる第二接続部１２ｂと、を有している。
また、第二接続部１２ｂは、雄ねじ状に形成されている。
さらに、本体部１２ａは、部分的に、可撓体Ｒにより周囲を被覆されている。
【００３１】
なお、本体部１２ａの形状は特に限定されず、略Ｕ字状や容器状、中央寄りに窪みを持たせた板状等様々な形状を採用することができる。
【００３２】
また、可撓体Ｒは、本体部１１ａ又は本体部１２ａを全体的に被覆する構成としても良い。また、可撓体Ｒの素材は、可撓性を有するものであれば特に限定されないが、天然ゴムや、シリコンゴム、ブタジエンゴム等の合成ゴムといった弾性材料が、好適に用いられる。
【００３３】
一対の連結部１３は、外形が六角柱状の筒状体であり、図１（ｂ）に示すように、内部に雌ねじ部１３ａを有している。
なお、一対の連結部１３の外形は、六角柱状に限定されず、円柱状や四角柱状等様々な形状を採用することができる。
【００３４】
胸当接部１１と顎当接部１２との間隔を調節する間隔調節手段Ｇは、第一接続部１１ｂと雌ねじ部１３ａとによりネジ機構として構成される第一間隔調節手段Ｇ１と、第二接続部１２ｂと雌ねじ部１３ａとによりネジ機構として構成される第二間隔調節手段Ｇ２と、により構成されている。
【００３５】
図２（ａ）に示すように、使用者は、胸当接部１１を、第一接続部１１ｂの軸周りに回転させることにより、連結部１３の開口端から突出する第一接続部１１ｂの長さを変更し、胸当接部１１と顎当接部１２との間隔を調節することができる。
【００３６】
また、図２（ｂ）に示すように、使用者は、連結部１３を、その軸周りに回転させることにより、連結部１３の開口端から突出する第二接続部１２ｂの長さを変更し、胸当接部１１と顎当接部１２との間隔を調節することができる。
【００３７】
なお、間隔調節手段Ｇは、間隔を調節する際の容易性や製造性の観点から、ネジ機構を採用することが好ましいが、これに限定されない。例えば、第一接続部１１ｂ又は第二接続部１２ｂを、連結部１３の各端部から任意の長さで係止可能なスライド機構を採用しても良いし、連結部１３、第一接続部１１ｂ及び第二接続部１２ｂ全体をバネ体として形成しても良い。
【００３８】
また、間隔調節手段Ｇは、ネジ機構を採用する場合、連結部１３全体を雄ねじ状に形成し、第一接続部１１ｂ又は第二接続部１２ｂの少なくとも何れか一方を雌ねじ状に形成しても良い。
さらに、間隔調節手段Ｇは、必ずしも第一間隔調節手段Ｇ１と第二間隔調節手段Ｇ２とにより構成されている必要はなく、第一間隔調節手段Ｇ１又は第二間隔調節手段Ｇ２の何れか一方のみであっても良い。例えば、間隔調節手段Ｇは、第二間隔調節手段Ｇ２のみとし、胸当接部１１を回転動作や着脱作業のみが行える態様に構成しても良い。
【００３９】
図３に示すように、第一間隔調節手段Ｇ１は、第一接続部１１ｂと雌ねじ部１３ａとにより、ネジ機構として構成されているため、使用者は、胸当接部１１を、第一接続部１１ｂの軸周りに回転させることで、本体部１１ａの湾曲方向を変更することができる。
【００４０】
図４に示すように、第一間隔調節手段Ｇ１は、第一接続部１１ｂと雌ねじ部１３ａとにより、ネジ機構として構成されているため、使用者は、胸当接部１１を、第一接続部１１ｂの軸周りに回転させることで、胸当接部１１を、連結部１３から自在に着脱可能である。
これにより、使用者は、胸当接部１１を、胸当接部１１の第一接続部１１ｂと異なる長さで形成された第一接続部１１ｂ´を有する胸当接部１１´に変更することができる。
【００４１】
図５に示すように、顎支持具１を使用する際、まず、使用者は、遺体Ｘの顎部Ｔの底面に、顎当接部１２における本体部１２ａの可撓体Ｒで被覆された部分を当接させる。
【００４２】
次に、使用者は、連結部１３を、その軸周りに回転させることにより、胸当接部１１と顎当接部１２とを離間させ、遺体の胸部Ｂに、胸当接部１１における本体部１１ａの可撓体Ｒで被覆された部分を、当接させる。
この際、本体部１１ａ（可撓体Ｒ）を、胸部Ｂの内、特に鎖骨部Ｂ１若しくは鎖骨部Ｂ１と首の根元との間に形成される溝に当接させることが好ましい。
【００４３】
次に、使用者は、胸当接部１１を、第一接続部１１ｂの軸周りに回転させることにより、遺体Ｘの鎖骨部Ｂ１に沿うように、本体部１１ａの湾曲方向を変更させる。
【００４４】
以上より、顎部Ｔ及び胸部Ｂで顎支持具１を挟持する態様で、遺体Ｘの顎部Ｔが支持されることで、遺体Ｘの口部Ｍの閉口状態が保持される。
【００４５】
本実施形態によれば、顎支持具１が、遺体Ｘの胸部Ｂに当接する胸当接部１１と、遺体Ｘの顎部Ｔに当接する顎当接部１２と、胸当接部１１と顎当接部１２とを連結する連結部１３と、を備えているため、遺体の頭部を動かすことなく、容易に顎支持具１を装着することが可能となる。
【００４６】
また、連結部１３が、胸当接部１１と顎当接部１２との間隔を調節する間隔調節手段Ｇを有していることで、胸部から顎部までの間隔が異なる様々な遺体に対して、顎支持具１を適用でき、安定的に口部の閉口状態を保持することが可能となる。
【００４７】
また、胸当接部１１が、胸部に当接する本体部１１ａと、連結部１３に連結する接続部１１ｂと、を有し、本体部１１ａが、第一接続部１１ｂに対して傾斜するように湾曲形成されてなることで、胸部Ｂの傾斜に合わせて顎支持具１を装着することができ、装着後の支持状態の安定性が向上する。
【００４８】
また、胸当接部１１を一対備え、第一接続部１１ｂが、連結部１３に対し回転自在に連結していることで、遺体の鎖骨に沿って、顎支持具１を装着することができ、装着後の支持状態の安定性が、さらに向上する。
【００４９】
また、一対の胸当接部１１と一対の連結部１３とにより、間隔調節手段Ｇが一対構成されていることで、それぞれの間隔調節手段Ｇにより、一の胸当接部１１と顎当接部１２との間隔を個別に調節することができ、例えば頭部が傾いた状態の遺体に対しても、顎部を安定的に支持することが可能となる。
【００５０】
また、胸当接部１１が、連結部１３に対し着脱可能に連結していることで、胸当接部１１を、第一接続部１１ｂの長さが異なるものに変更することができ、胸部から顎部までの間隔が異なる様々な遺体に対する、顎支持具１の汎用性がさらに向上する。
【００５１】
また、間隔調節手段Ｇが、ネジ機構であることにより、間隔の調節に容易に行うことができる他、胸当接部１１の回転動作や着脱作業も行えるため操作性が向上し、シンプルな構造となるため製造性も向上する。
【００５２】
また、胸当接部１１の本体部１１ａ及び顎当接部１２の本体部１２ａの周囲が、可撓体Ｒにより被覆されていることで、遺体を傷つける恐れが無く、また、装着後における、顎支持具１の不意のずれを抑制することが可能となる。
【００５３】
なお、前記実施形態において示した各構成部材の諸形状や寸法等は一例であって、設計要求等に基づき種々変更可能である。
【符号の説明】
【００５４】
１                顎支持具
１１、１１´      胸当接部
１１ａ            本体部
１１ｂ、１１ｂ´  第一接続部
１２              顎当接部
１２ａ            本体部
１２ｂ            第二接続部
１３              連結部
１３ａ            雌ねじ部
Ｇ                間隔調節手段
Ｇ１              第一間隔調節手段
Ｇ２              第二間隔調節手段
Ｒ                可撓体
Ｘ                遺体
Ｔ                顎部
Ｂ                胸部
Ｂ１              鎖骨部
Ｍ                口部
【図１】
2019154769.tif 000003
【図２】
2019154769.tif 000004
【図３】
2019154769.tif 000005
【図４】
2019154769.tif 000006
【図５】
2019154769.tif 000007
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
対象者の胸部に当接する胸当接部と、対象者の顎部に当接する顎当接部と、前記胸当接部と前記顎当接部とを連結する連結部と、を備え、
前記連結部は、前記胸当接部と前記顎当接部との間隔を調節する間隔調節手段を有し、
前記胸当接部は、胸部に当接する本体部と、前記連結部に接続する接続部と、を有し、
前記本体部は、前記接続部に対して傾斜するように湾曲形成されてなることを特徴とする顎支持具。
【請求項２】
前記胸当接部を一対備え、
前記接続部は、前記連結部に対し回転自在に連結することを特徴とする、請求項１に記載の顎支持具。
【請求項３】
前記間隔調節手段を一対備えていることを特徴とする、請求項１又は２の何れかに記載の顎支持具。
【請求項４】
前記胸当接部は、前記連結部に対し着脱可能に連結することを特徴とする、請求項１〜３の何れかに記載の顎支持具。
【請求項５】
前記間隔調節手段は、ネジ機構であることを特徴とする、請求項１〜４の何れかに記載の顎支持具。
【請求項６】
前記胸当接部及び前記顎当接部の少なくとも何れか一方には、可撓体が設けられていることを特徴とする、請求項１〜５の何れかに記載の顎支持具。